(57)【要約】【課題】装着していることを他人にわからせないようにすることができるかつらを提供する。【解決手段】人工毛又は人毛からなる毛髪３をかつらベース２に植毛してなるかつら１において、かつらベース２は、互いに異なる径の毛髪が植毛された少なくとも３つの領域Ａ１，Ａ２，Ａ４を有し、これら少なくとも３つの領域Ａ１，Ａ２，Ａ４は、かつらベース２の前端２ｆからかつらベース２の頭頂部２ｃにかけて、植毛された毛髪３の径が小さい順に位置する構成とする。【選択図】図１
2008274482.tif 000002
【特許請求の範囲】
【請求項１】
人工毛又は人毛からなる毛髪をかつらベースに植毛してなるかつらにおいて、
前記かつらベースは、互いに異なる径の毛髪が植毛された少なくとも３つの領域を有し、
該少なくとも３つの領域は、前記かつらベースの前端から前記かつらベースの頭頂部にかけて、前記植毛された毛髪の径が小さい順に位置することを特徴とするかつら。
【請求項２】
前記少なくとも３つの領域は、前記かつらベースの前頭部に位置する少なくとも２つの領域を含むことを特徴とする請求項１記載のかつら。
【請求項３】
前記少なくとも３つの領域は、前記かつらベースの周方向全域に亘って該かつらベースの周縁部又はその近傍に位置する少なくとも２つの領域を含むことを特徴とする請求項１記載のかつら。
【請求項４】
前記かつらベースは、前記少なくとも３つの領域のいずれか２つの領域の間に位置し、該２つの領域に植毛された互いに異なる２つの径の毛髪が混在して植毛された混毛領域を更に有することを特徴とする請求項１から請求項３のいずれか１項記載のかつら。
【請求項５】
前記少なくとも３つの領域のうちの前記かつらベースの前端を含む領域に植毛された毛髪は、前記少なくとも３つの領域に植毛された毛髪のうち最も短く、且つ、径が０．０２ｍｍ〜０．０４ｍｍであることを特徴とする請求項１から請求項４のいずれか１項記載のかつら。
【請求項６】
前記少なくとも３つの領域のうちの前記かつらベースの前端を含む領域の前記頭頂部側の境界を、人の頭部に沿った方向に凹凸状にしたことを特徴とする請求項１から請求項５のいずれか１項記載のかつら。
【請求項７】
前記少なくとも３つの領域のうちの前記かつらベースの前端を含む領域は、前記少なくとも３つの領域のうち植毛密度が最も低く、
前記少なくとも３つの領域のうち前記かつらベースの前端を含む領域を除く領域は、互いに植毛密度が同一である、
ことを特徴とする請求項１から請求項６のいずれか１項記載のかつら。
【請求項８】
前記少なくとも３つの領域は、径の小さい毛髪が植毛された領域から径の大きい毛髪が植毛された領域へと、徐々に植毛密度が高くなっていることを特徴とする請求項１から請求項６のいずれか１項記載のかつら。
【発明の詳細な説明】
【技術分野】
【０００１】
本発明は、人毛又は人工毛からなる毛髪をかつらベースに植毛してなるかつらに関し、更に詳しくは、装着していることを他人にわからせないようにすることができるかつらに関する。
【背景技術】
【０００２】
かつらは、一般的に薄毛に悩む人が装着するものであり、実際の人の頭部であるかのように見えるものでなければならない。しかしながら、かつらの毛髪は、かつらベースに植毛されたものであるため、毛髪の立ち上がり、外観等の点で実際の人の頭髪を完全に再現するのは困難である。
【０００３】
また、かつらの毛髪は、経時変化によって違和感が増すのも通常である。そのため、現状では、装着していることが他人から容易にわかってしまうかつらも出回っている。
【０００４】
そこで、かつら装着者の産毛等を擬似再現するべく、頭部装着体（かつら）と被装着部（かつら装着者の頭部）との境界部（生え際）に、ヘアスタイルを形作るための主毛よりも細い調整毛を植毛した頭部装着体（かつら）が提案されている（例えば、特許文献１参照）。
【特許文献１】特開２００２−１４６６１４号公報
【発明の開示】
【発明が解決しようとする課題】
【０００５】
しかしながら、上記特許文献１記載のかつらは、生え際に調整毛を植毛することによって産毛等の擬似再現を図っているが、調整毛と主毛との境目が目立ってしまい、結局、装着していることが他人からわかってしまうものとなってしまっていた。
【０００６】
本発明の課題は、上記従来の実情に鑑み、装着していることを他人にわからせないようにすることができるかつらを提供することである。
【課題を解決するための手段】
【０００７】
上記課題を解決するために、本発明のかつらは、人工毛又は人毛からなる毛髪をかつらベースに植毛してなるかつらにおいて、上記かつらベースは、互いに異なる径の毛髪が植毛された少なくとも３つの領域を有し、これら少なくとも３つの領域は、上記かつらベースの前端から上記かつらベースの頭頂部にかけて、上記植毛された毛髪の径が小さい順に位置する構成とする。
【０００８】
また、上記少なくとも３つの領域は、上記かつらベースの前頭部に位置する少なくとも２つの領域を含む構成とするとよい。
また、上記少なくとも３つの領域は、上記かつらベースの周方向全域に亘ってかつらベースの周縁部又はその近傍に位置する少なくとも２つの領域を含む構成とするとよい。
【０００９】
また、上記かつらベースは、上記少なくとも３つの領域のいずれか２つの領域の間に位置し、これらの２つの領域に植毛された互いに異なる２つの径の毛髪が混在して植毛された混毛領域を更に有する構成とするとよい。
【００１０】
また、上記少なくとも３つの領域のうちの上記かつらベースの前端を含む領域に植毛された毛髪は、上記少なくとも３つの領域に植毛された毛髪のうち最も短く、且つ、径が０．０２ｍｍ〜０．０４ｍｍである構成とするとよい。
【００１１】
また、上記少なくとも３つの領域のうちの上記かつらベースの前端を含む領域の上記頭頂部側の境界を、人の頭部に沿った方向に凹凸状にした構成とするとよい。
また、上記少なくとも３つの領域のうちの上記かつらベースの前端を含む領域は、上記少なくとも３つの領域のうち植毛密度が最も低く、上記少なくとも３つの領域のうち上記かつらベースの前端を含む領域を除く領域は、互いに植毛密度が同一である構成とするとよい。
また、上記少なくとも３つの領域は、径の小さい毛髪が植毛された領域から径の大きい毛髪が植毛された領域へと、徐々に植毛密度が高くなっている構成とするとよい。
【発明の効果】
【００１２】
本発明のかつらでは、互いに異なる径の毛髪が植毛された少なくとも３つの領域は、かつらベースの前端から頭頂部にかけて、植毛された毛髪の径が小さい順に位置している。そのため、互いに異なる径の毛髪が植毛された各領域を目立ちにくくしながら、かつらベースの前端側において、人の産毛等の径の小さい毛髪を違和感なく再現することができる。よって、本発明のかつらによれば、装着していることを他人にわからせないようにすることができる。
【発明を実施するための最良の形態】
【００１３】
以下、本発明の実施の形態に係るかつらについて、図面を参照しながら説明する。
図１は、本発明の一実施の形態に係るかつら１を斜め前方から見た斜視図である。
図２は、上記かつら１を斜め後方から見た斜視図である。
図３は、図１のＢ部拡大図である。
図１及び図２に示すかつら１は、ネットから構成されるかつらベース２に、人工毛又は人毛からなる毛髪（図１及び図２においては一部のみ図示）３を植毛してなる。
【００１４】
かつらベース２は、互いに異なる径の毛髪が植毛された少なくとも３つの領域としての第１領域Ａ１、第２領域Ａ２及び第４領域Ａ４を有している。詳しくは後述するが、これらの領域Ａ１，Ａ２，Ａ４は、図３に示すように、かつらベース２の前端２ｆから頭頂部２ｃにかけて、植毛された毛髪３の径が小さい順に位置している。
【００１５】
なお、かつらベース２の前端２ｆとは、人１０の頭部１１の左右のこめかみ（便宜上２点鎖線で図示）１１ｔ間におけるかつらベース２の端部をいうものとする。第１領域Ａ１は、この前端２ｆを含む領域となっている。
【００１６】
かつらベース２は、第２領域Ａ２及び第４領域Ａ４に植毛された互いに異なる２つの径の毛髪３ｂ，３ｃが混在して植毛された混毛領域としての第３領域Ａ３をも有している。この第３領域Ａ３は、第２領域Ａ２と第４領域Ａ４との間に位置している。
【００１７】
第１領域Ａ１、第２領域Ａ２及び第３領域Ａ３は、かつらベース２の前頭部２ｐに位置している。そして、第４領域Ａ４は、かつらベース２のうち、第１領域Ａ１、第２領域Ａ２及び第３領域Ａ３を除く部分の全域に亘って位置している。
【００１８】
第１領域Ａ１に植毛された毛髪３ａは、少なくとも３つの領域としての第１領域Ａ１、第２領域Ａ２及び第４領域Ａ４に植毛された毛髪３（３ａ，３ｂ，３ｃ）のうち最も短く、且つ、径が０．０２ｍｍ〜０．０４ｍｍとなっている。
【００１９】
第２領域Ａ２に植毛された毛髪３ｂは、径が０．０３ｍｍ〜０．０５ｍｍで、且つ、第１領域Ａ１に植毛された毛髪よりも径が大きくなっている。
第４領域Ａ４に植毛された毛髪３ｃは、径が０．０６ｍｍ〜０．０８ｍｍとなっている。
【００２０】
そして、第３領域Ａ３には、第２領域に植毛された０．０３ｍｍ〜０．０５ｍｍの径の毛髪３ｂと、第４領域Ａ４に植毛された０．０６ｍｍ〜０．０８ｍｍの径の毛髪３ｃとが混在して植毛されている。
【００２１】
なお、図３には、第１領域Ａ１と第２領域Ａ２との間の境界Ｌ１、第２領域Ａ２と第３領域Ａ３との間の境界Ｌ２、及び、第３領域Ａ３と第４領域Ａ４との間の境界Ｌ３を、２点鎖線で示している。これらの境界Ｌ１，Ｌ２，Ｌ３は、便宜上図示しているが、実際に目に見えるものである必要はない。
【００２２】
第１の領域Ａ１の頭頂部２ｃ側の境界、即ち第１領域Ａ１と第２領域Ａ２との間の境界Ｌ１は、人１０の頭部１１に沿った方向にギザギザの凹凸状になっている。
また、かつらベース２の前端２ｆから境界Ｌ１の最後端までの幅Ｗ、境界Ｌ１の最後端から境界Ｌ２までの幅Ｗ、及び、境界Ｌ２から境界Ｌ３までの幅Ｗは、本実施の形態ではいずれも互いに同一となっている。この幅Ｗは、例えば４〜８ｍｍ、好ましくは５〜６ｍｍとするとよい。
【００２３】
以上説明した本実施の形態のかつら１では、互いに異なる径の毛髪３ａ，３ｂ，３ｃが植毛された３つの領域Ａ１，Ａ２，Ａ４は、かつらベース２の前端２ｆから頭頂部２ｃにかけて、植毛された毛髪３ａ，３ｂ，３ｃの径が小さい順に位置している。そのため、互いに異なる径の毛髪３ａ，３ｂ，３ｃが植毛された各領域Ａ１，Ａ２，Ａ４を目立ちにくくしながら、かつらベース２の前端２ｆにおいて、人１０の産毛等を違和感なく再現することができる。よって、本実施の形態のかつら１によれば、装着していることを他人にわからせないようにすることができる。
【００２４】
また、本実施の形態のかつら１では、上記少なくとも３つの領域Ａ１，Ａ２，Ａ４のうち、少なくとも２つの領域として第１領域Ａ１及び第２領域Ａ２がかつらベース２の前頭部２ｐに位置している。そのため、かつらベース２のうち最も目に付く前頭部２ｐにおいて人１０の産毛等をより違和感なく再現することができ、したがって、装着していることを一層他人にわからせないようにすることができる。
【００２５】
更には、少なくとも２つの領域（Ａ１，Ａ２）がかつらベース２の前頭部２ｐに位置する場合には、各領域間の間隔Ｗを４〜８ｍｍ、好ましくは５〜６ｍｍとすることで、かつらベース２の前頭部２ｐにおいて人１０の産毛等の径の小さい頭髪をより一層違和感なく再現することができ、したがって、装着していることをより一層他人にわからせないようにすることができる。
【００２６】
また、本実施の形態のかつら１では、かつらベース２は、第２領域Ａ２と第４領域Ａ４との間に、これらの領域Ａ２，Ａ４に植毛された互いに異なる径の毛髪が混在して植毛された第３領域Ａ３を有しているため、互いに異なる径の毛髪の境目の違和感をなくし、装着していることを一層他人にわからせないようにすることができる。
【００２７】
また、本実施の形態のかつら１では、かつらベース２の前端２ｆを含む第１領域Ａ１に植毛された毛髪は、かつらベース２に植毛された毛髪３（３ａ，３ｂ，３ｃ）のうち最も短く、且つ、径が０．０２ｍｍ〜０．０４ｍｍである。そのため、第１領域Ａ１に植毛された毛髪が人１０の産毛であるかのように見え、したがって、装着していることを一層他人にわからせないようにすることができる。
【００２８】
また、本実施の形態では、第１の領域Ａ１の頭頂部２ｃ側の境界、即ち第１領域Ａ１と第２領域Ａ２との間の境界Ｌ１が、人１０の頭部１１に沿った方向に凹凸状になっている。そのため、第１領域Ａ１と第２領域Ａ２との間の境界Ｌ１を目立たせなくすることができ、したがって、装着していることを一層他人にわからせないようにすることができる。
【００２９】
なお、本実施の形態では、第３領域Ａ３に植毛された毛髪３ｂ，３ｃが、第２領域Ａ２に植毛された毛髪３ｂ及び第４領域Ａ４に植毛された毛髪３ｃと同一の毛髪（同一径の毛髪）であるため、「互いに異なる径の毛髪が植毛された少なくとも３つの領域」に第３領域Ａ３が含まれないものとして説明した。しかしながら、例えば、本実施の形態における第２領域Ａ２を除いたかつらベース２、即ち、第１領域Ａ１（毛髪３ａ）、第３領域Ａ（毛髪３ｂ，３ｃ）及び第４領域Ａ４（毛髪３ｃ）のみを有するようなかつらベースの場合には、第１領域Ａ１及び第４領域Ａ４に植毛された毛髪３ａ，３ｃと異なる径の毛髪３ｂが第３領域Ａ３に植毛されていることになるため、第３領域Ａ３は上記少なくとも３つの領域に含まれることになる。
【００３０】
また、本実施の形態では、互いに異なる径の毛髪３ａ，３ｂ，３ｃが植毛された領域を３つ（Ａ１，Ａ２，Ａ４）として説明したが、互いに異なる径の毛髪が植毛された領域を４つ以上にして、かつらベース２の前端２ｆから頭頂部２ｃにかけて各領域に植毛された毛髪の径を徐々に大きくしてもよい。
【００３１】
また、本実施の形態では、かつら１を、人１０の頭部１１の略全域に装着する全頭かつらとして説明したが、頭部１１の一部に装着する部分かつらであっても、かつらベース２の前端２ｆから頭頂部２ｃにかけて毛髪の径を徐々に大きくすることで、かつらの毛髪と人の自毛との境目の違和感をなくし、かつらを装着していることを他人にわからせないようにすることができる。
【００３２】
また、本実施の形態では、第２領域Ａ２と第４領域Ａ４との間に位置すると共に、これらの領域Ａ２，Ａ４に植毛された互いに異なる２つの径の毛髪３ｂ，３ｃが混在して植毛された第３領域Ａ３を有する例を説明したが、このような領域Ａ３を設けなくとも、かつら１を装着していることを他人にわからせないようにすることはできる。しかしながら、第１領域Ａ１と第２領域Ａ２との間にもこのような領域Ａ３を設けることで、互いに異なる径の毛髪（領域）の境目の違和感をなくすことができるため、かつら１を装着していることをより一層他人にわからせないようにすることができる。
【００３３】
また、本実施の形態では、第１の領域Ａ１の頭頂部２ｃ側の境界、即ち第１領域Ａ１と第２領域Ａ２との間の境界Ｌ１が、人１０の頭部１１に沿った方向にギザギザの凹凸状になっている例を説明したが、境界Ｌ１の凹凸状としては、波状等の他の凹凸状も含まれる。
【００３４】
また、本実施の形態では、かつらベース２はネットから構成されると説明したが、かつらベース２の前頭部２ｐ若しくは生え際部等の一部に、又は全部に、例えばウレタンからなる人工皮膚部を設ける場合にも、上記実施形態の効果を同様に奏する。
【００３５】
また、本実施の形態では、図３において、上記少なくとも３つの領域Ａ１，Ａ２，Ａ４の植毛密度が互いに同一なように図示したが、少なくとも３つの領域Ａ１，Ａ２，Ａ４のうち第１領域Ａ１の植毛密度を最も低くし、且つ、少なくとも３つの領域Ａ１，Ａ２，Ａ４のうち第１領域Ａ１を除く領域、即ち第２領域Ａ２及び第４領域Ａ４の植毛密度を互いに同一とすることで、かつらの毛髪と人の自毛との境目の違和感をなくし、かつら１を装着していることを一層他人にわからせないようにすることもできる。
更には、図４に示すように、径の小さい毛髪が植毛された領域すなわち第１領域Ａ１から、径の大きい毛髪が植毛された第４領域Ａ４へと、徐々に植毛密度を高くすることで、かつら１を装着していることを一層他人にわからせないようにすることができる。なお、図４においては、毛髪の植毛密度は、第１領域Ａ１よりも第２領域Ａ２が高く、第２領域Ａ２よりも第３領域Ａ３及び第４領域Ａ４が高くなっており、第３領域Ａ３と第４領域Ａ４とは互いに植毛密度が同一となっている。
【００３６】
図５は、本発明の他の実施の形態に係るかつら２１を斜め前方から見た斜視図である。
図６は、上記かつら２１を斜め後方から見た斜視図である。
図５及び図６に示す本実施の形態のかつら２１は、上記実施の形態のかつらベース２の第１〜第４領域Ａ１，Ａ２，Ａ３，Ａ４にそれぞれ対応する第１〜第４領域Ａ１１，Ａ１２，Ａ１３，Ａ１４をかつらベース２２に有している。
【００３７】
本実施の形態の各領域Ａ１１，Ａ１２，Ａ１３，Ａ１４には、上記第１実施形態の各領域Ａ１，Ａ２，Ａ３，Ａ４に植毛された毛髪３と同一の毛髪が植毛されている（第１領域Ａ１１に毛髪３ａ、第２領域Ａ１２に毛髪３ｂ、第３領域Ａ１３に毛髪３ｂ，３ｃ、第４領域Ａ１４に毛髪３ｃ）。
【００３８】
第１領域Ａ１１は、かつらベース２２の周方向全域に亘ってかつらベース２の周縁部２２ｂに位置している。第２領域Ａ１２及び第３領域Ａ１３は、かつらベース２２の周方向全域に亘ってかつらベース２の周縁部２２ｂの近傍に位置している。第４領域Ａ１４は、かつらベース２２のうち、第１領域Ａ１１、第２領域Ａ１２及び第３領域Ａ１３を除く部分の全域に亘って位置している。
【００３９】
本実施の形態では、上記実施の形態と、各領域Ａ１１，Ａ１２，Ａ１３，Ａ１４の配置位置が異なる点のみ相違する。そのため、詳細な説明は省略する。
第１領域Ａ１１、第２領域Ａ１２及び第４領域Ａ１４は、上記実施の形態と同様に、かつらベース２２の前端２２ｆからかつらベース２２の頭頂部２２ｃにかけて、植毛された毛髪の径が小さい順に位置している。
【００４０】
また、本実施の形態においても、第１の領域Ａ１１の頭頂部２２ｃ側の境界、即ち第１領域Ａ１１と第２領域Ａ１２との間の境界を凹凸状にするとよい。
更には、本実施の形態においても、径の小さい毛髪が植毛された領域すなわち第１領域Ａ１１から、径の大きい毛髪が植毛された第３領域Ａ１４へと、徐々に植毛密度を高くすることで、かつら２１を装着していることを一層他人にわからせないようにすることができる。
【００４１】
以上説明した本実施の形態のかつら２１では、互いに異なる径の毛髪３ａ，３ｂ，３ｃが植毛された３つの領域Ａ１１，Ａ１２，Ａ１４は、かつらベース２２の前端２２ｆから頭頂部２２ｃにかけて、植毛された毛髪３ａ，３ｂ，３ｃの径が小さい順に位置している。そのため、互いに異なる径の毛髪３ａ，３ｂ，３ｃが植毛された各領域Ａ１１，Ａ１２，Ａ１４を目立ちにくくしながら、かつらベース２２の前端２２ｆにおいて、人１０の産毛等を違和感なく再現することができる。よって、本実施の形態のかつら２１によれば、上記実施の形態のかつら１と同様に、装着していることを他人にわからせないようにすることができる。
【００４２】
また、本実施の形態のかつら２１では、上記少なくとも３つの領域Ａ１１，Ａ１２，Ａ１４のうち、少なくとも２つの領域として、第１領域Ａ１１及び第２領域Ａ１２は、かつらベース２２の周方向全域に亘ってかつらベース２２の周縁部２２ｂ又はその近傍に位置している。そのため、かつらベース２２の周方向全域における生え際において人１０の産毛等をより違和感なく再現することができ、したがって、装着していることを一層他人にわからせないようにすることができる。
【図面の簡単な説明】
【００４３】
【図１】本発明の一実施の形態に係るかつらを斜め前方から見た斜視図である。
【図２】本発明の一実施の形態に係るかつらを斜め後方から見た斜視図である。
【図３】図１のＢ部拡大図である。
【図４】本発明の一実施の形態の変形例に係るＢ部拡大図である。
【図５】本発明の他の実施の形態に係るかつらを斜め前方から見た斜視図である。
【図６】本発明の他の実施の形態に係るかつらを斜め後方から見た斜視図である。
【符号の説明】
【００４４】
１      かつら
２      かつらベース
２ｃ      頭頂部
２ｆ      前端
２ｐ      前頭部
３（３ａ，３ｂ，３ｃ）      毛髪
１０      人
１１      頭部
１１ｔ      こめかみ
２１      かつら
２２      かつらベース
２２ｂ      周縁部
２２ｃ      頭頂部
２２ｆ      前端
Ａ１〜Ａ４，Ａ１１〜Ａ１４      第１〜第４領域
Ｌ１〜Ｌ３      （領域の）境界
【図１】
2008274482.tif 000003
【図２】
2008274482.tif 000004
【図３】
2008274482.tif 000005
【図４】
2008274482.tif 000006
【図５】
2008274482.tif 000007
【図６】
2008274482.tif 000008